【手続補正書】
【提出日】平成17年6月2日(2005.6.2)
【手続補正１】
【補正対象書類名】特許請求の範囲
【補正対象項目名】全文
【補正方法】変更
【補正の内容】
【特許請求の範囲】
【請求項１】
投影装置のパネルの有効領域にスクローリング色光帯を生成する装置であって、
（ａ）光源からの光が通過し、回転軸を中心に回転するように構成されているアセンブリであって、前記回転軸に沿って延在し、内部容積、外周部および２つの対向する端部を画成する複数の透過カラーフィルタを含むアセンブリと、
（ｂ）前記外周部を通過した光を受けて反射し、前記端部の１つから前記光を出射させるために、前記内部容積内に少なくとも部分的に配置され、前記アセンブリが前記回転軸を中心に回転する間、静止状態であるように構成されている反射面と、
（ｃ）反射された光を前記端部の１つから受け取り、該光を前記パネルの前記有効領域へ透過させる光リレーと、を含み、
前記回転軸を中心にした前記アセンブリの回転により、前記パネルの前記有効領域上で色の漸進的な列ごとの変化が生成されることを特徴とする装置。
【請求項２】
前記透過カラーフィルタが、ダイクロイックフィルタであることを特徴とする、請求項１記載の装置。
【請求項３】
前記透過カラーフィルタが、互いに実質的に当接することを特徴とする、請求項１記載の装置。
【請求項４】
前記透過カラーフィルタが、不透明細片によって互いに分離されていることを特徴とする、請求項１記載の装置。
【請求項５】
前記外周部が、ほぼ円形であることを特徴とする、請求項１記載の装置。
【請求項６】
前記外周部が、セグメント化されていることを特徴とする、請求項１記載の装置。
【請求項７】
隣接するフィルタが、かみ合わさるように角研磨縁を具備することを特徴とする、請求項６記載の装置。
【請求項８】
投影装置のパネルの有効領域にスクローリング色光帯を生成するためのスクローリング方法であって、
（ａ）受け取った光から、それぞれ透過光を生成する複数のカラーフィルタを提供するステップと、
（ｂ）回転軸を中心に実質的な円形経路で前記フィルタを移動させることにより、前記フィルタに、前記回転軸とほぼ垂直である光軸を有する光源の前を繰り返し通過させるステップと、
（ｃ）前記フィルタによって生成された前記透過光の前記光軸の向きを変え、前記光軸がフィルタを通過しないようにするステップと、
（ｄ）光軸の向きを変えられた前記透過光によって、前記パネルの前記有効領域上で色の漸進的な列ごとの変化を生成するステップと、
を含むことを特徴とするスクローリング方法。
【請求項９】
投影装置のパネルの有効領域にスクローリング色光帯を生成する装置であって、
（ａ）（ｉ）ランプと、（ｉｉ）射出窓を有するインテグレータと、を備えた光源と、
（ｂ）前記光源からの光が通過し、回転軸を中心に回転するように構成されているアセンブリであって、前記回転軸に沿って延在し、内部容積、外周部および２つの対向する端部を画成する複数の透過カラーフィルタを含むアセンブリと、
（ｃ）前記外周部を通過した光を受けて反射し、前記端部の１つから前記光を出射させるために、前記内部容積内に少なくとも部分的に配置され、前記アセンブリが前記回転軸を中心に回転する間、静止状態であるように構成されている反射面と、
（ｄ）反射された光を前記端部の１つから受け取り、前記光を前記パネルの前記有効領域へ透過させ、前記インテグレータ射出窓の画像を前記パネルの前記有効領域に生成する光リレーと、を含み、
前記回転軸を中心にした前記アセンブリの回転により、前記パネルの前記有効領域上で色の漸進的な列ごとの変化が生成されることを特徴とする装置。
【請求項１０】
前記透過カラーフィルタが、ダイクロイックフィルタであることを特徴とする、請求項９記載の装置。
【請求項１１】
前記透過カラーフィルタが、互いに実質的に当接することを特徴とする、請求項９記載の装置。
【請求項１２】
前記透過カラーフィルタが、不透明細片によって互いに分離されていることを特徴とする、請求項９記載の装置。
【請求項１３】
前記外周部が、ほぼ円形であることを特徴とする、請求項９記載の装置。
【請求項１４】
前記外周部が、セグメント化されていることを特徴とする、請求項９記載の装置。
【請求項１５】
隣接するフィルタが、かみ合わさるように角研磨縁を具備することを特徴とする、請求項１４記載の装置。
【手続補正２】
【補正対象書類名】明細書
【補正対象項目名】０００８
【補正方法】変更
【補正の内容】
【０００８】
第１の態様によれば、本発明は、投影装置のパネルの有効領域にスクローリング色光帯（たとえば、図３の色光帯２５および色光帯２７）を生成する装置であって、
（ａ）光源からの光が通過し、回転軸（３７）を中心に回転するように構成されているアセンブリ(１３)であって、上記の回転軸に沿って延在し、内部容積（４９）、外周部（４５）および２つの対向する端部（４７）を画成する複数の透過カラーフィルタ（たとえば、３０、３１、３３）を含むアセンブリ（１３）と、
（ｂ）上記の外周部（４５）を通過した光を受けて反射し、その光を上記端部（４７）の１つから出射させるために、上記の内部容積（４９）内に少なくとも部分的に配置され、上記のアセンブリ（１３）が上記の回転軸を中心に回転する間、静止状態であるように構成されている反射面（３９）と、
（ｃ）反射された光を上記端部の１つから受け取り、その光を上記パネルの上記有効領域へ透過させる光リレーと、を含み、
上記回転軸を中心にした上記アセンブリの回転により、上記パネルの上記有効領域上で色の漸進的な列ごとの変化が生成されることを特徴とする装置を提供するものである。
他の態様によれば、本発明は、投影装置のパネルの有効領域にスクローリング色光帯を生成する装置であって、
（ａ）（ｉ）ランプと、（ｉｉ）射出窓を有するインテグレータと、を備えた光源と、
（ｂ）上記光源からの光が通過し、回転軸を中心に回転するように構成されているアセンブリであって、上記回転軸に沿って延在し、内部容積、外周部および２つの対向する端部を画成する複数の透過カラーフィルタを含むアセンブリと、
（ｃ）上記外周部を通過した光を受けて反射し、上記端部の１つから上記光を出射させるために、上記内部容積内に少なくとも部分的に配置され、上記アセンブリが上記回転軸を中心に回転する間、静止状態であるように構成されている反射面と、
（ｄ）反射された光を上記端部の１つから受け取り、上記光を上記パネルの上記有効領域へ透過させ、前記インテグレータ射出窓の画像を前記パネルの前記有効領域に生成する光リレーと、を含み、
上記回転軸を中心にした上記アセンブリの回転により、上記パネルの上記有効領域上で色の漸進的な列ごとの変化が生成されることを特徴とする装置。
【手続補正３】
【補正対象書類名】明細書
【補正対象項目名】０００９
【補正方法】変更
【補正の内容】
【０００９】
他の態様によれば、本発明は、投影装置のパネルの有効領域にスクローリング色光帯を生成するためのスクローリング方法であって、
（ａ）受け取った光から、それぞれ透過光を生成する複数のカラーフィルタ（たとえば、３０、３１、３３）を提供するステップと、
（ｂ）回転軸（３７）を中心にほぼ円形経路で上記のフィルタを移動させることにより、それらのフィルタに、上記の回転軸（３７）とほぼ垂直である光軸（４１）を有する光源（たとえば、１５、１７）の前を繰り返し通過させるステップと、
（ｃ）上記のフィルタによって生成された透過光の光軸の向きを変え、その光軸（４３）がフィルタを通過しないようにするステップと、
（ｄ）光軸の向きを変えられた上記透過光によって、上記パネルの上記有効領域上で色の漸進的な列ごとの変化を生成するステップと、
を含むことを特徴とするスクローリング方法を提供するものである。